(57)【要約】【課題】  映像装置を使用してコンテンツを視聴する複数のユーザに対するパレンタルレベルの設定を容易に行うことができ、コンテンツの視聴管理を確実に行うことのできる映像装置を提供する。【解決手段】  映像装置において、マルチユーザＯＳ１０と、制御アプリケーション１１と、入力デバイス２３とを備え、制御アプリケーション１１は、コンテンツをマルチユーザＯＳ１０で管理されるファイルシステム１９のファイルとして管理し、ファイルのファイルアクセス管理情報１９０とユーザに対するコンテンツの管理情報を対応させ、ユーザが入力デバイス２３の操作によりマルチユーザＯＳ１０に対するユーザ認証を行いログインした際、ファイルのファイルアクセス管理情報１９０およびログインしたユーザのコンテンツの管理情報に基づいて、コンテンツに対する録画再生を制限する。【選択図】  図１
2005223846.tif 000002
【特許請求の範囲】
【請求項１】
コンテンツの録画再生を行う映像装置であって、
前記映像装置を操作する複数ユーザの管理を行うマルチユーザＯＳと、
前記マルチユーザＯＳを使用してコンテンツの録画再生制御を行う制御アプリケーションと、
前記マルチユーザＯＳおよび前記制御アプリケーションを実行する制御部と、
前記映像装置の操作指示を入力する入力デバイスとを備え、
前記制御アプリケーションは、前記コンテンツを前記マルチユーザＯＳで管理されるファイルシステムのファイルとして管理し、前記ファイルのファイルアクセス管理情報と前記ユーザに対するコンテンツの管理情報を対応させ、前記ユーザが前記入力デバイスの操作により前記マルチユーザＯＳに対するユーザ認証を行いログインした際、前記ファイルのファイルアクセス管理情報および前記ログインしたユーザのコンテンツの管理情報に基づいて、前記コンテンツに対する録画再生を制限することを特徴とする映像装置。
【請求項２】
請求項１記載の映像装置において、
前記制御アプリケーションは、前記マルチユーザＯＳに未登録のユーザは、ユーザ認証不要のゲストユーザとしてログインさせ、前記ゲストユーザの前記コンテンツに対する再生の制限を最も高いレベルとし、前記コンテンツに対する録画は、管理者のファイルとして仮録画することを特徴とする映像装置。
【請求項３】
請求項１または２記載の映像装置において、
前記制御アプリケーションは、前記ログインしたユーザによるコンテンツの録画予約の指示があると、録画予約されたコンテンツの電子番組表データを取得し、取得した電子番組表データのコンテンツの管理情報および前記ログインしたユーザのコンテンツの管理情報に基づいて、前記コンテンツに対する録画予約を制限することを特徴とする映像装置。
【請求項４】
請求項１、２または３記載の映像装置において、
ネットワークを介して表示装置が接続され、
前記ユーザは前記表示装置から前記映像装置にログインし、前記ネットワークを介して、コンテンツの録画再生の操作指示を入力することを特徴とする映像装置。
【請求項５】
請求項１、２、３または４記載の映像装置において、
前記入力デバイスに、前記ユーザの身体的特徴を検出する検出手段を設け、前記検出手段により検出されたユーザの身体的特徴に基づいて、前記ユーザの前記マルチユーザＯＳに対するユーザ認証を行うことを特徴とする映像装置。
【発明の詳細な説明】
【技術分野】
【０００１】
本発明は、ＤＶＤや放送などのコンテンツの録画・再生を行う映像装置に関し、特に、パレンタルロック機能によりコンテンツの視聴を制限する技術に関する。
【背景技術】
【０００２】
従来、ＤＶＤや放送などのコンテンツの録画・再生を行う映像装置では、成人指定のある映画など（例えば、暴力シーンや恋愛シーンを含むものなど）のコンテンツの視聴を制限するパレンタルロック機能をもっており、通常は親が子供に見せたくないコンテンツを制限するために使用されている。このパレンタルロック機能は、予め、映像装置にコンテンツの視聴を制限するレベルとなるパレンタルレベルを設定し、ＤＶＤや放送などのコンテンツを再生する際に、そのコンテンツがもつパレンタルレベルの情報を読み取り、設定されているパレンタルレベルと比較することにより、コンテンツの視聴を制限している。
【０００３】
また、従来、パレンタルレベルなどを用いてコンテンツの視聴を制限する技術として、特許文献１の「パレンタル制御を採用した情報保持・情報伝達媒体」に開示されているような、再生側でのパレンタルレベルの管理・判別を可能とする技術や、特許文献２の「映像再生方法、装置、プログラム、記録媒体、および映像再生システム」に開示されているような、映像データの再生条件の変更を１つの映像コンテンツの中で容易に行うことのできる技術があった。
【特許文献１】特開平１０−６９７５５号公報
【特許文献２】特開２００３−３２４６８８号公報
【発明の開示】
【発明が解決しようとする課題】
【０００４】
しかしながら、従来の映像装置のパレンタルロック機能は、親が子供に成人指定のある映画などのコンテンツを視聴させない様に、映像装置にパレンタルレベルを設定し、その視聴を制限しても、家庭内においてパレンタルレベルを設定した映像装置とは別の装置（例えば、パソコンなど）で再生して視聴してまうという問題があった。
【０００５】
また、映像装置へのパレンタルレベルの設定は、映像装置を操作することにより行うため、パレンタルレベルを設定し、コンテンツの視聴を制限している状態で、コンテンツを制限なく視聴可能な親などが、現在設定されているパレンタルレベルで視聴不可能なコンテンツを視聴する場合には、映像装置のパレンタルレベルの設定をその都度変更しなければならないという煩わしさがあった。
【０００６】
また、特許文献１や特許文献２に記載のものも、家庭内においてパレンタルレベルなどによりコンテンツの視聴が制限されている装置とは別の装置（例えば、パソコンなど）で、コンテンツを再生して視聴することができてしまうという問題があった。
【０００７】
本発明の目的は、映像装置を使用してコンテンツを視聴する複数のユーザに対するパレンタルレベルの設定を容易に行うことができ、コンテンツの視聴管理を確実に行うことのできる映像装置を提供することにある。
【課題を解決するための手段】
【０００８】
本発明による映像装置は、コンテンツの録画再生を行う映像装置であって、映像装置を操作する複数ユーザの管理を行うマルチユーザＯＳと、マルチユーザＯＳを使用してコンテンツの録画再生制御を行う制御アプリケーションと、マルチユーザＯＳおよび制御アプリケーションを実行する制御部と、映像装置の操作指示を入力する入力デバイスとを備え、制御アプリケーションは、コンテンツをマルチユーザＯＳで管理されるファイルシステムのファイルとして管理し、ファイルのファイルアクセス管理情報とユーザに対するコンテンツの管理情報を対応させ、ユーザが入力デバイスの操作によりマルチユーザＯＳに対するユーザ認証を行いログインした際、ファイルのファイルアクセス管理情報およびログインしたユーザのコンテンツの管理情報に基づいて、コンテンツに対する録画再生を制限するものである。
【発明の効果】
【０００９】
本発明によれば、映像装置へのログイン情報により、映像装置を使用するユーザごとに、パレンタルレベルなどによるコンテンツの視聴制限やファイル操作の制限が可能となるので、コンテンツの視聴管理を確実に行うことができる。
【発明を実施するための最良の形態】
【００１０】
以下、本発明の実施の形態を図面に基づいて詳細に説明する。
【００１１】
図１により、本発明の一実施の形態による映像装置の構成について説明する。図１は本発明の一実施の形態による映像装置の構成を示す構成図である。
【００１２】
図１において、映像装置は、マルチユーザＯＳ１０、制御アプリケーション１１、ＭＰＥＧデコーダ１２、ＭＰＥＧエンコーダ１３、ストリーミングエンコーダ１４、放送波表示ドライバ１５、ＨＤドライバ１６、ＤＶＤドライバ１７、ネットワークドライバ１８、ファイルシステム１９、ＣＰＵなどからなる制御部２０、ＨＤＤ２１、ＤＶＤドライブ２２、入力デバイス（リモコンなど）２３、表示装置２４から構成されている。
【００１３】
マルチユーザＯＳ１０は、例えば、ＵＮＩＸ（Ｒ）、Ｌｉｎｕｘ（Ｒ）、ＷｉｎｄｏｗｓＮＴ（Ｒ）などのマルチユーザ対応のＯＳであり、制御部２０上により実行され映像装置を使用するユーザの管理やファイル管理を行う基本ソフトウェアである。
【００１４】
制御アプリケーション１１は、マルチユーザＯＳ１０上で実行され、映像装置内の各部を制御し、コンテンツの再生・録画などの制御や、パレンタルレベルによる視聴制限を行うソフトウェアである。
【００１５】
ＭＰＥＧデコーダ１２、ＭＰＥＧエンコーダ１３およびストリーミングエンコーダ１４は、コンテンツの圧縮・伸張を行う。
【００１６】
コンテンツは、ＤＶＤメディア、ＴＶ放送波、ネットワークを経由するストリーミングデータなどの映像情報として供給されており、放送波表示ドライバ１５、ＨＤドライバ１６、ＤＶＤドライバ１７およびネットワークドライバ１８により、それぞれ、放送波チューナ、ＨＤＤ２１、ＤＶＤドライブ２２、ネットワーク機器が制御され、放送波の放送コンテンツ、ＤＶＤメディアのＤＶＤコンテンツ、ネットワークを経由したネットワークコンテンツへのアクセス制御が行われる。また、ＨＤドライバ１６により、ＨＤＤ２１内に格納された各種コンテンツへのアクセス制御が行われる。
【００１７】
また、各コンテンツには、コンテンツを視聴する際に、そのコンテンツの視聴を制限する必要がある場合には、その制限レベルであるパレンタルレベル（視聴制限情報）などの情報が付加されている。
【００１８】
コンテンツの表示制御は、リモコンなどの入力デバイス２３からの操作指示コマンドにより制御アプリケーション１１が制御して、各種コンテンツをＴＶなどの表示装置２４に出力することにより行われる。リモコンなどの入力デバイス２３は、そのほか、ユーザ名やパスワードの入力、ユーザの管理情報の入力なども行うことができる。
【００１９】
ＤＶＤメディアで提供されるＤＶＤコンテンツは、ＭＰＥＧ圧縮されており、ＭＰＥＧデコーダ１２により伸張されて表示装置２４などに表示される。
【００２０】
ＴＶ放送などの放送波により供給される放送コンテンツは、ＭＰＥＧエンコーダ１３により圧縮されてＨＤＤ２１に一時記憶され、再生時にＭＰＥＧデコーダ１２により伸張されて表示装置２４などに表示される。
【００２１】
ネットワークから供給されるストリーミングデータもＭＰＥＧなどにより圧縮されており、ネットワークからの受信と圧縮伸張を並行して行いながら、表示装置２４などに表示される。
【００２２】
また、ネットワークドライバ１８により制御されるネットワーク機器に接続されるネットワークにはＨＤＤ２１に録画されているコンテンツをリモート映像再生するパソコンなどによる表示装置も接続できるようになっている。
【００２３】
次に、図２により、家庭内において、映像装置にネットワークを介して複数の表示装置を接続する一例について説明する。図２は、映像装置にネットワークを介して複数の表示装置を接続する一例を示す図である。
【００２４】
図２において、本実施の形態の映像装置は、例えば、リビングルームに設置され、搭載するＤＶＤメディアの再生や、インターネットからのストリーミング再生が可能となっている。
【００２５】
さらに、この映像装置にネットワークを介して、父親の部屋のパソコンなどの表示装置（ＰＣ１）、母親の部屋のパソコンなどの表示装置（ＰＣ２）、子供の部屋のパソコンなどの表示装置（ＰＣ３）が接続され、この映像装置の映像情報を各部屋で視聴可能になっている。
【００２６】
このリモート視聴を行う場合に、それぞれの部屋の視聴者は、父親、母親、子供１、子供２となっている。
【００２７】
また、父親、母親、子供１、子供２は、各部屋のパソコンなどの表示装置だけではなく、リビングルームで映像装置を直接操作することにより、映像コンテンツの視聴を行えるようになっている。
【００２８】
次に、図３によりファイルシステム１９を管理するファイルアクセス管理情報１９０の一例およびファイルアクセス管理情報１９０を用いたコンテンツ管理について説明する。図３はファイルシステムを管理するファイルアクセス管理情報の一例を示す図である。
【００２９】
ファイルアクセス管理情報１９０は、マルチユーザＯＳ１０のファイルシステム１９に依存するが、本実施の形態ではＵＮＩＸ（Ｒ）の例で示している。
【００３０】
例えば、ＵＮＩＸ（Ｒ）では、図３に示すように、ファイルごとに、ファイルを生成した“所有者”のファイルアクセス属性、ユーザの属する“グループ”のファイルアクセス属性、ユーザやグループ以外の“他人”のファイルアクセス属性についてのファイルアクセス管理情報をもちファイル管理を行っている。
【００３１】
本実施の形態では、各種コンテンツをファイルシステム１９のファイルとして管理し、“所有者”として、映像装置を使用するユーザである“管理者”、“父親”、“母親”、“子供１”、“子供２”を定義する。
【００３２】
さらに、“グループ”として、ユーザ“管理者”が属する“管理者”、ユーザ“父親”と“母親”が属する“親”、ユーザ“子供１”と“子供２”が属する“子供”を定義する。
【００３３】
また、“所有者”、“グループ”、“他人”のファイル管理情報には、当該ファイルのリード可・ライト可・リード／ライト可・リード／ライト不可を設定し、ファイルのアクセス管理を行う。
【００３４】
“グループ”は、例えば、コンテンツのパレンタルレベルに対応付けられており、“管理者”、“親”のグループは、視聴制限がないものとし、“子供”のグループは、“成人向け”のコンテンツを視聴できないパレンタルレベルが対応付けられている。
【００３５】
ここで、本実施の形態の映像装置では、各ユーザが映像装置を使用する際に、各ユーザに対して、リモコンなどの入力デバイス２３や各部屋の表示装置（ＰＣ１，ＰＣ２，ＰＣ３）を操作させて、ユーザログイン処理を行うことにより、図３に示すようなファイルアクセス管理を行う。
【００３６】
また、映像装置にログインして使用するユーザごとに視聴できるパレンタルレベルを設定すると共に、ユーザ名とコンテンツのパレンタルレベルとに基づいてマルチユーザＯＳ１０のユーザ管理機能によりコンテンツのファイルとしてファイル管理を行う。
【００３７】
これにより、コンテンツを録画する際には、ログインユーザごとに定義された管理レベルと録画するコンテンツの管理レベルとを比較し、該ユーザで視聴可能な場合には、該ユーザが視聴可能なファイル属性でコンテンツの録画を行う。
【００３８】
また、コンテンツを視聴する場合には、ファイル属性に従いコンテンツの再生を行い、ファイル属性がリード不可の場合には、該ユーザの視聴はできないことになる。
【００３９】
なお、本実施の形態では、コンテンツのパレンタルレベルで説明しているが、これ以外にも、コンテンツの著作権管理情報や録画したコンテンツのファイル管理情報も同様にログインユーザごとに管理することもでき、ＤＶＤメディアや放送などのコンテンツを、マルチユーザＯＳ１０で扱うファイルとして管理すると共に、そのコンテンツの管理情報（パレンタルレベル、著作権管理情報、コンテンツ管理情報）などを、マルチユーザＯＳ１０のファイルアクセス管理情報と対応付けることにより、コンテンツの管理を容易に行うことができる。
【００４０】
また、著作権管理情報を使った複写制限やファイルプロテクトを使った削除制限の管理にも適用できる。例えば、著作権保護のためにコンテンツの改ざん制限を行いたい場合には、“所有者”以外のファイル管理情報をライト不可（リード可）に設定する。これにより、コンテンツファイルの誤消去も防止することができる。
【００４１】
次に、図４〜図８により本発明の一実施の形態による映像装置の動作について説明する。図４はユーザログインの処理を示すフローチャート、図５はユーザログイン画面の表示例を示す図、図６はＤＶＤメディアの再生処理を示すフローチャート、図７は放送視聴、ストリーミング再生処理を示すフローチャート、図８は録画予約処理を示すフローチャートである。
【００４２】
本実施の形態による映像装置では、視聴者のユーザ名を映像装置に通知する必要があり、視聴ユーザは、映像装置を使用する最初に、ログイン処理を行う。一般に映像装置では、フルキーボードを備えていないため、パソコンなどのようにユーザ名を直接入力することができないが、チャンネル指定やプレイヤーの動作指示を行うリモコン２３を使用して、視聴者のユーザログインを行うことができる。
【００４３】
まず、ユーザが映像装置を直接操作して、コンテンツの再生を行う際には、図４に示すようにユーザがリモコン２３を使用し、例えば、リモコン２３に設けられたユーザボタンを押下する（Ｓ１００）。そして、表示装置２４上に例えば、図５に示すような登録されたユーザの一覧（選択候補を示すように、ユーザ名のボックスなど）が表示されたユーザログイン画面を表示し、ユーザ名の入力を促す（Ｓ１０１）。
【００４４】
そして、ユーザが、ユーザログイン画面を見ながら、ユーザログイン画面のカーソルをリモコン２３のカーソル移動キー（例えば、▼・▲ボタン）で移動して、ログインするユーザ名を入力する（Ｓ１０２）。
【００４５】
そして、Ｓ１０２でのユーザのログインユーザ名の入力により、映像装置は、該ユーザのログインパスワードの入力をユーザに促し、ユーザは、例えば、リモコン２３のチャンネルボタンにより、パスワードを入力する（Ｓ１０３）。
【００４６】
そして、映像装置は、ユーザが入力したパスワードをチェックして、ログインユーザの認証を行い（Ｓ１０４）、Ｓ１０４で認証ＯＫの場合は映像装置のログインユーザを設定し（Ｓ１０５）、Ｓ１０４で認証ＮＧの場合はＳ１０２に戻り、再度ユーザ名の入力を促す。
【００４７】
なお、本実施の形態では、映像装置に予めユーザアカウントが定義されているものとしているが、アカウントの登録・編集・削除などの設定は、映像装置の設定メニューから行ってもいいし、ネットワークに接続するパソコンなどから行うようにしてもよい。
【００４８】
また、アカウントが登録されていないユーザが本実施の形態の映像装置を使用できるように、“ゲスト”ユーザを予め登録しておき、Ｓ１０４でのユーザ認証ができなかった使用者は、“ゲスト”ユーザに許される機能のみ提供するようにもできる。
【００４９】
また、映像装置のシステム管理を行える“管理者”ユーザは、映像装置のパワーオンにより自動的にログインするようにする。“管理者”ユーザのみが使用できる機能は、設定装置の設定メニューなどから入力するように、設定メニューを起動する際にアプリケーションレベルでの認証を行うようにする。これにより、一般ユーザと管理者の操作を分けることができるので、一般ユーザの誤操作を防止することができる。
【００５０】
また、ＤＶＤメディアなどのリムーバブルメディアのコンテンツを映像装置で再生する際には、図６に示すように、まず、映像装置にＤＶＤメディアが挿入されたか否かを判断し（Ｓ１１０）、Ｓ１１０でＤＶＤメディアが挿入されていないと判断されると、Ｓ１１０に戻り、Ｓ１１０でＤＶＤメディアが挿入されたと判断されると、映像装置のファイルシステム１９は、ＤＶＤメディアを“管理者”ユーザでマウントし、マウントされたＤＶＤメディアのファイルの所有者は“管理者”とする（Ｓ１１１）。
【００５１】
そして、マウントされたコンテンツファイルから該コンテンツのパレンタルレベルの情報を取得し、予めユーザの“グループ”ごとにパレンタルレベルを定義しておき、メディアから取得したパレンタルレベルからグループ名を設定する（Ｓ１１２）。
【００５２】
例えば、成人向けのコンテンツであれば、パレンタルレベルが高く、子供１や子供２が属さない“親”グループとする。
【００５３】
また、ファイルのアクセス管理情報を“所有者”：リード可、“グループ”：リード可、“他人”：リード不可とする。もし、メディアに複数のコンテンツが含まれていれば、コンテンツごとにファイルのグループ情報を設定する。
【００５４】
そして、ＤＶＤメディアのコンテンツを視聴するユーザがログインし（Ｓ１１３）、ユーザによりコンテンツの再生指示が行われたか否かを判断する（Ｓ１１４）。Ｓ１１４でコンテンツの再生指示が行われていないと判断されるとＳ１１４に戻り、Ｓ１１４でコンテンツの再生指示が行われたと判断されると、再生操作したユーザ名をログインユーザとする（Ｓ１１５）。
【００５５】
そして、再生指示を行ったユーザが、Ｓ１１２で設定したファイルグループに含まれるか否かを判断し（Ｓ１１６）、Ｓ１１６でファイルグループに含まれていると判断されると、コンテンツを再生し（Ｓ１１７）、Ｓ１１６でファイルグループに含まれていないと判断されると、“パレンタルロック”されていることを注意表示する（Ｓ１１８）。
【００５６】
ここで、図６に示すような処理によるＤＶＤなどのリムーバブルメディアのコンテンツの再生の具体例について説明する。
【００５７】
まず、ＤＶＤメディアをユーザ“子供１”が視聴しようとして、ログインしたとする。
【００５８】
ユーザ“子供１”は、ユーザ登録されているのでユーザログインが可能であり、ログイン後に、ユーザ“子供１”がリモコン２３によりＤＶＤメディアのコンテンツの再生指示を行う。
【００５９】
映像装置は、ユーザ“子供１”のログイン後に、コンテンツの再生指示があったので、ユーザ“子供１”からの再生指示とする。
【００６０】
そして、ユーザ“子供１”に対して、再生指示されたコンテンツファイルのアクセス権があるかチェックする。
【００６１】
図６のＳ１１１で設定したように、該メディアのコンテンツの所有者は“管理者”になっているので、ユーザ“子供１”はファイルの所有者でなく、グループは“親”になっているのでアクセス権がない。そこでユーザ“子供１”は、アクセス管理情報が“他人”に設定されているアクセス権をもつことになり、当該ファイルコンテンツの“他人”のアクセス権は、“リード不可”としているので、当該ファイルコンテンツの再生ができない。
【００６２】
このため、“子供１”がこのＤＶＤメディアの視聴をする際には、映像装置は、“パレンタルロック”されていることを注意表示する。
【００６３】
もし、“父親”がログインしていた場合には、ユーザ“父親”はグループ“親”に属するので、“グループ”に設定されるアクセス権に従う。この例では、“リード可”に設定されているので、当該コンテンツを視聴できる。
【００６４】
また、映像装置のＨＤＤ２１に録画されているコンテンツを再生する場合には、録画時にファイルのアクセス管理情報が設定されているので、図６に示すＳ１１３のユーザログイン以降の処理を行いコンテンツの視聴制限を行う。
【００６５】
また、ネットワークを経由してストリーミング映像を受信し表示再生する際や、放送波を受信して映像表示する際には、ストリーミングデータのバッファリングやタイムシフト再生のために、一時的に映像装置のファイルシステムに一時ファイルとしてコンテンツの情報の蓄積を行っており、この一時的なコンテンツの情報をアクセスする際に、パレンタルロック管理を行う。
【００６６】
まず、図７に示すように、ストリーミング再生や放送波の受信を行うユーザが、映像装置にログインする（Ｓ１２０）。
【００６７】
そして、ログインしたユーザからのストリーミング再生や放送波の受信などによるコンテンツの視聴指示が行われたか否かを判断する（Ｓ１２１）。Ｓ１２１でコンテンツの視聴指示が行われていないと判断されるとＳ１２１に戻り、Ｓ１２１でコンテンツの視聴指示が行われたと判断されると、放送波の受信やストリーミングデータ受信を開始し、その映像情報の一部を一時ファイルとしてファイルシステム１９に記録し、このファイルの所有者は、“管理者”とする（Ｓ１２２）。
【００６８】
そして、ストリーミングデータや放送波の映像情報に含まれる当該コンテンツのパレンタルレベルの情報を取得し、予めユーザの”グループ”ごとにパレンタルレベルを定義しておき、そのパレンタルレベルからグループ名を設定する（Ｓ１２３）。
【００６９】
例えば、ストリーミング再生する成人向けのコンテンツであれば、パレンタルレベルが高く、子供１や子供２が属さない“親”グループとする。
【００７０】
この一時ファイルのアクセス管理情報を“所有者”：リード可、“グループ”：リード可、“他人”：リード不可とする。ストリーミング再生や放送波の受信による表示では、この一時ファイルを読み出して表示装置２４に表示しており、この読み出しの際に、アクセス権チェックが行われる。そして、Ｓ１２１でコンテンツの視聴指示を行ったユーザ名をログインユーザとする（Ｓ１２４）。
【００７１】
そして、視聴指示したユーザが、Ｓ１２３で設定したファイルグループに含まれるか否かを判断し（Ｓ１２５）、Ｓ１２５でファイルグループに含まれていると判断されると、コンテンツを表示し（Ｓ１２６）、Ｓ１２５でファイルグループに含まれていないと判断されると、“パレンタルロック”されていることを注意表示する（Ｓ１２７）。そして、Ｓ１２６でのコンテンツの表示が終了するとストリーミングの再生や放送波の受信を切断し、ファイルシステム１９に記録された一時ファイルを削除する（Ｓ１２８）。
【００７２】
ここで、図７に示すような処理によるストリーミング映像の再生や、放送波を受信して映像表示の具体例について説明する。
【００７３】
まず、ストリーミング再生や放送波の受信を行うユーザ“子供１”が、映像装置にログインする。
【００７４】
ユーザ“子供１”は、ユーザ登録されているのでユーザログインが可能であり、ログイン後に、ユーザ“子供１”が、放送波の受信の場合には、リモコン２３により、視聴する放送チャンネルを指定する。また、ストリーミング再生の場合には、サーバにログインし、ストリーミング再生するコンテンツを指定する。
【００７５】
映像装置は、ユーザ“子供１”のログイン後に、コンテンツの視聴指示があったので、“子供１”からの視聴指示とする。
【００７６】
そして、ユーザ“子供１”に対して、視聴指示されたコンテンツファイルのアクセス権があるかチェックする。つまり、視聴を指示したユーザ“子供１”が、ファイルシステム１９に記録された一時ファイルにアクセス権があるかチェックする。
【００７７】
ファイルシステム１９に記録された一時ファイルのコンテンツの所有者は“管理者”になっているので、ユーザ“子供１”はファイルの所有者でなく、グループは、“親”になっているのでアクセス権がない。そこでユーザ“子供１”は、アクセス管理情報が“他人”に設定されているアクセス権をもつことになり、当該ファイルコンテンツの“他人”のアクセス権は、“リード不可”としているので、当該ファイルコンテンツの再生ができない。このため、映像装置は、“パレンタルロック”されていることを注意表示する。
【００７８】
もし、ユーザ“父親”がログインしていた場合には、ユーザ“父親”はグループ“親”に属するので、“グループ”に設定されるアクセス権に従う。この例では、“リード可”に設定されているので、当該コンテンツを視聴できる。
【００７９】
また、ユーザが録画予約を行う際には、映像装置を使用するユーザごとに録画予約を設定し、入力値に従い予約録画を行う。まず、図８に示すように、コンテンツを録画するユーザが、映像装置にユーザログインする（Ｓ１３０）。
【００８０】
そして、ユーザからのリモコンなどによるコンテンツの録画予約指示が行われたか否かを判断し（Ｓ１３１）、Ｓ１３１でコンテンツの録画予約指示が行われていないと判断されるとＳ１３１に戻り、Ｓ１３１でコンテンツの録画予約指示が行われたと判断されると、ＥＰＧ（電子番組表）データを表示装置２４上に表示し（Ｓ１３２）、ユーザに予約番組を選択させる（Ｓ１３３）。
【００８１】
そして、ユーザが選択した予約番組のＥＰＧデータから該番組のパレンタルレベルの情報（視聴制限情報）を取得する（Ｓ１３４）。
【００８２】
そして、録画予約を行ったユーザのパレンタルレベルの情報と予約番組のパレンタルレベルの情報を比較し、録画予約を行ったユーザが該番組を視聴可能か否かを判断し（Ｓ１３５）、Ｓ１３５で視聴不可と判断されると“パレンタルロック”されていることを注意表示し（Ｓ１４２）、Ｓ１３５で視聴可能、またはＳ１３４で取得したＥＰＧデータに視聴制限情報が含まれず比較できないと判断されると、録画予約情報に予約ユーザ名を含む予約情報（チャンネル番号、録画開始時間、録画終了時間など）を生成する（Ｓ１３６）。
【００８３】
そして、映像装置は、Ｓ１３６で生成した録画予約情報を監視し、設定された時刻に、録画予約されたコンテンツの録画を開始する（Ｓ１３７）。このとき、録画するコンテンツから該番組のパレンタルレベルの情報を取得する（Ｓ１３８）。
【００８４】
そして、予約情報から予約ユーザを取得し、該ユーザのパレンタルレベルの情報とＳ１３８で取得したパレンタルレベルの情報を比較し、録画予約を行ったユーザが該番組を録画可能か否かを判断し（Ｓ１３９）、Ｓ１３９で録画不可と判断されると“パレンタルロック”されていることを注意表示し（Ｓ１４２）、Ｓ１３９で録画可能と判断されると、該ユーザの属するグループ名・アクセス管理情報をもつコンテンツファイルを生成し（Ｓ１４０）、ＨＤＤ２１などにそのコンテンツを録画する（Ｓ１４１）。
【００８５】
ここで、図８に示すような処理による録画予約の具体例について説明する。
【００８６】
まず、録画予約を行うユーザ“子供１”が、映像装置にログインする。
【００８７】
ユーザ“子供１”は、ユーザ登録されているのでユーザログインが可能であり、ログイン後に、ユーザ“子供１”が、録画予約を指示する。
【００８８】
映像装置は、ユーザ“子供１”のログイン後に、録画予約の指示があったので、ユーザ“子供１”からの録画予約とする。
【００８９】
そして、録画予約で選択されたＥＰＧデータのパレンタルレベルが、ユーザ“子供１”に設定されているパレンタルレベルよりも高ければ、ユーザ“子供１”は予約不可として、映像装置は、“パレンタルロック”されていることを注意表示する。
【００９０】
また、ＥＰＧデータにパレンタルレベルが含まれていない場合でも、録画開始後、録画しているコンテンツのパレンタルレベルが、ユーザ“子供１”に設定されているパレンタルレベルよりも高ければ、録画不可として、映像装置は、“パレンタルロック”されていることを注意表示する。
【００９１】
もし、ユーザ“父親”がログインして、録画予約を行った場合には、ユーザ“父親”は最も高いパレンタルレベルが設定されているので、どの番組の録画予約も行うことができる。
【００９２】
以上、ユーザが、映像装置を直接操作して、コンテンツを視聴する例について説明したが、次に、図２に示すように、各ユーザがそれぞれ、ネットワークなどを介して自分のパソコンなどによる表示装置を映像装置に接続し、その表示装置上から映像装置にログインして、コンテンツを視聴する場合の動作について説明する。
【００９３】
各ユーザがそれぞれ、ネットワークなどを介して自分のパソコンなどによる表示装置を映像装置に接続する場合においても、図４、図６〜図８のフローチャートに示すような処理により視聴制限の処理を行うことができる。
【００９４】
この場合、リモコン２３によるユーザ名、パスワードの入力の代わりに、各ユーザのパソコンなどからなる表示装置のキーボードやマウスなどの入力デバイスにより、ユーザ名やパスワードの入力を行う。
【００９５】
また、視聴するコンテンツは、ログインしているユーザが視聴可能なコンテンツであれば、映像装置は、コンテンツの情報をネットワークを介して、そのログインしているユーザの表示装置へ転送し、その表示装置上で画面表示する。このようにすることで、ネットワークなどを介して接続されたパソコンなどによる表示装置のリモート再生でも映像装置と同様の視聴制限を行うことができる。
【００９６】
次に、録画予約での録画ではなく、放送波の受信などの外部から受信したコンテンツを映像装置のＨＤＤ２１などの記憶装置に録画する場合について説明する。
【００９７】
ユーザが、コンテンツの視聴中に録画する場合には、視聴コンテンツの選択を行い、コンテンツの表示を行っているので、この過程での視聴制限の制御は、図７のフローチャートに示す処理と同様になる。
【００９８】
つまり、ユーザに対するパレンタルレベルのチェックは、放送番組を表示する際に行われているので、そのコンテンツは、現在のユーザにより録画可能なコンテンツとなる。
【００９９】
そして、コンテンツの視聴中に、リモコン２３などにより録画指示された場合には、視聴開始時に設定したグループ名・アクセス管理情報をもつコンテンツファイルを生成する。詳しくは、コンテンツの視聴時の一時ファイルの内容をコンテンツファイルにコピーし、該コンテンツファイルのグループ名・アクセス権管理情報を一時ファイルと同一とする。
【０１００】
このようにして、録画するユーザの視聴制限を満足するコンテンツだけがコンテンツファイルとして生成されＨＤＤ２１などの記憶装置に録画することができる。
【０１０１】
そして、映像装置のＨＤＤ２１に録画されているコンテンツを再生する場合には、録画時にファイルのアクセス管理情報が設定されているので、再生のためにログインしたユーザ名が、視聴するコンテンツファイルのグループに属する否かを判定し、コンテンツの視聴制限を行う。
【０１０２】
次に、映像装置に予め定義されているユーザアカウント以外のゲストユーザの取り扱いについて説明する。
【０１０３】
映像装置を使用するユーザはリモコン２３などの入力デバイスによりユーザログイン処理を行うが、未登録のユーザが映像装置を使用する場合には、以下に示すような処理により、視聴制限のある映像コンテンツの録画・再生を行う。
【０１０４】
例えば、図５に示すようなログインメニューの表示画面で、認証不要のゲストユーザの入力を行えるようにする。
【０１０５】
そして、ゲストユーザは、パレンタルレベルなどによる視聴制限付きのコンテンツの再生を行うには、視聴制限が最も高いグループに属するものとして処理する。従って、ゲストユーザは、視聴制限が最も高いグループにおいて再生できるコンテンツのみ視聴することができる。
【０１０６】
もし、ゲストユーザが、視聴制限付きのコンテンツの録画を行う場合には、コンテンツの録画を、ゲストユーザではなく、管理者のユーザ名で、仮に行えるようにする。しかし、視聴制限付きのコンテンツは、管理者のユーザ名で録画されるため、ゲストユーザのままでは、そのコンテンツを直接視聴することもできず、録画されたコンテンツの再生も行うことができない。
【０１０７】
そして、そのユーザには、仮録画されているメッセージを表示し、管理者にも、例えば、ゲストユーザによりコンテンツが仮録画されたことが通知される。そして、管理者により、ゲストユーザが正規のユーザとして登録された時に仮録画されたコンテンツを登録ユーザの映像データとしてファイル管理情報を編集できるようにする。これにより、映像装置へのユーザ未登録によるコンテンツの録画機会の損失を防止することができる。
【０１０８】
このとき、ユーザ登録時に、仮録画されたコンテンツのパレンタルレベルが、ユーザのレンタルレベルより高い場合には、登録ユーザの映像データとしての管理情報には編集されない。
【０１０９】
なお、本実施の形態では、映像装置を操作するユーザがログインした後に、映像装置の操作を行う例で説明したが、映像装置を複数のユーザで代わる代わる使用する場合、使用者が変わるたびにユーザログイン処理が必要となるが、リモコン２３に指紋検出センサなどを設け指紋認証機能などの身体的特徴による認証機能を備えることにより、ユーザによるリモコン２３の操作時に、リモコン２３の認証機能によりユーザ認証が行うことができ、ユーザによるリモコン２３の操作情報とその操作を行ったユーザ名を同時に映像装置に入力することができる。
【０１１０】
これにより、ユーザが映像装置にログインすることによるユーザ認証が不要となり操作性を向上させることが可能となる。
【０１１１】
なお、身体的特徴による認証は、指紋認証に限らず、その他、リモコン２３上に身体的特徴を検出できるセンサ（検出手段）を設けられれば、虹彩、指の血管パターンなど、その他の身体的特徴による認証を用いてもよい。また、リモコン２３側で認証せず、リモコン２３での身体的特徴の検出データを映像装置側に送信し、映像装置で認証処理を行ってもよい。
【０１１２】
以上のように、本実施の形態では、コンテンツをマルチユーザＯＳ１０で扱うファイルとして管理し、映像装置のマルチユーザＯＳ１０へのログイン情報により、そのファイルアクセス管理情報１９０とコンテンツの管理情報（パレンタルレベル、著作権管理情報、コンテンツ管理情報）などを対応付けることにより、映像装置を使用するユーザごとに、パレンタルレベルなどによるコンテンツの視聴制限やファイル操作の制限ができ、パレンタルレベルなどによる視聴制限付きのコンテンツの視聴管理を確実に行うことが可能となる。
【０１１３】
なお、本実施の形態では、ユーザが、映像装置を直接操作し、コンテンツを視聴する場合と、各ユーザのパソコンなどからなる表示装置により、映像装置にログインしてコンテンツを視聴する例で説明したが、各ユーザが使用しているパソコンなどでも、本実施の形態の映像装置と同様にマルチユーザＯＳを使用して、ユーザ管理を行い、管理者により、各ユーザのパソコンにパレンタルレベルの設定をすることにより、各ユーザが自分のパソコンでパレンタルレベルなどによる視聴制限付きのコンテンツの視聴を制限することが可能であり、家庭内において映像装置以外での視聴制限付きのコンテンツの視聴管理も確実に行うことが可能となる。
【０１１４】
また、この場合、各ユーザのパソコンに、各ユーザの身体的特徴を検出するセンサ（検出手段）などを接続することにより、各ユーザのパソコンなどでユーザ認証を容易に行うこともできる。
【図面の簡単な説明】
【０１１５】
【図１】本発明の一実施の形態による映像装置の構成を示す構成図である。
【図２】本発明の一実施の形態による映像装置にネットワークを介して複数の表示装置を接続する一例を示す図である。
【図３】本発明の一実施の形態によるファイルシステムを管理するファイルアクセス管理情報の一例を示す図である。
【図４】本発明の一実施の形態によるユーザログインの処理を示すフローチャートである。
【図５】本発明の一実施の形態によるユーザログイン画面の表示例を示す図である。
【図６】本発明の一実施の形態によるＤＶＤメディアの再生処理を示すフローチャートである。
【図７】本発明の一実施の形態による放送視聴、ストリーミング再生処理を示すフローチャートである。
【図８】本発明の一実施の形態による録画予約処理を示すフローチャートである。
【符号の説明】
【０１１６】
１０…マルチユーザＯＳ、１１…制御アプリケーション、１２…ＭＰＥＧデコーダ、１３…ＭＰＥＧエンコーダ、１４…ストリーミングエンコーダ、１５…放送波表示ドライバ、１６…ＨＤドライバ、１７…ＤＶＤドライバ、１８…ネットワークドライバ、１９…ファイルシステム、２０…制御部、２１…ＨＤＤ、２２…ＤＶＤドライブ、２３…入力デバイス（リモコン）、２４…表示装置、１９０…ファイルアクセス管理情報。
【図１】
2005223846.tif 000003
【図２】
2005223846.tif 000004
【図３】
2005223846.tif 000005
【図４】
2005223846.tif 000006
【図５】
2005223846.tif 000007
【図６】
2005223846.tif 000008
【図７】
2005223846.tif 000009
【図８】
2005223846.tif 000010